(57)【要約】【課題】  網状の部材に登攀助材を添設する構造が簡単で、その製造や取り付けに手間やコストがかからない緑化パネル、及び、様々な建築デザインに対する適用性に優れた緑化パネルを提供する。【解決手段】  登攀助材(11)の表面に、複数の波形線材(13)が、各凹部(15)において該登攀助材に接する状態で並設されかつ各凸部(16)において複数の直状線材(14)が交差するように架設されて、格子(12)が形成されている。他の形態では、登攀助材(11)の表面に、複数の波形線材(13)が、各凹部(15)において該登攀助材に接する状態でかつ各凸部(16)において相互に交差するように並設されて、格子(12)が形成されている。更に他の形態では、矩形の登攀助材(31)の表面に菱形金網(32)を配設するとともに、該登攀助材の裏面に押さえ用部材(33)を垂下させ、該登攀助材を貫通する複数の緊結用部材(34)で該菱形金網と押さえ用部材(33)を該登攀助材越しに結びつけている。【選択図】  図１
2006075009.tif 000002
【特許請求の範囲】
【請求項１】
登攀助材(11)の表面に、複数の波形線材(13)が、各凹部(15)において該登攀助材(11)に接する状態で並設されかつ各凸部(16)において複数の直状線材(14)が交差するように架設されて、格子(12)が形成されていることを特徴とする緑化パネル(1)。
【請求項２】
該登攀助材(11)は、緑化対象面(4)を区分けした際に現れる小区域を覆う大きさとなっている請求項１に記載の緑化パネル(1)。
【請求項３】
該格子(12)の最上縁側(12a)及び最下縁側(12b)で該波形線材(13)は、該登攀助材(11)の上縁(11a)及び下縁(11b)に沿って配置される請求項２に記載の緑化パネル(1)。
【請求項４】
該直状線材(14)は、使用される状態において鉛直方向に配置される請求項１〜３のいずれか一つの項に記載の緑化パネル(1)。
【請求項５】
該格子(12)の最上縁側(12a)及び最下縁側(12b)で該直状線材(14)は、該登攀助材(11)の上縁(11a)及び下縁(11b)に沿って配置される請求項２に記載の緑化パネル(1)。
【請求項６】
登攀助材(11)の表面に、複数の波形線材(13)が、各凹部(15)において該登攀助材(11)に接する状態でかつ各凸部(16)において相互に交差するように並設されて、格子(12)が形成されていることを特徴とする緑化パネル(10)。
【請求項７】
該登攀助材(11)は、緑化対象面(4)を区分けした際に現れる小区域を覆う大きさとなっている請求項６に記載の緑化パネル(10)。
【請求項８】
該格子(12)の最上縁側(12a)及び最下縁側(12b)で該波形線材(13)は、該登攀助材(11)の上縁(11a)及び下縁(11b)に沿って配置される請求項７に記載の緑化パネル(10)。
【請求項９】
該凹部(15)は、平坦な底部(15a)を有し、該底部(15a)がその全長にわたって該登攀助材(11)と接触している請求項１〜８のいずれか一つの項に記載の緑化パネル(1,10)。
【請求項１０】
該凸部(16)の該登攀助材(11)表面からの高さ(h)は、１０〜８０ｍｍである請求項１〜９のいずれか一つの項に記載の緑化パネル(1,10)。
【請求項１１】
該登攀助材(11)は、矩形で、該登攀助材(11)の両側縁に沿って該凸部(16)より高く立設された側板部(21)と、該側板部(21)の全長に亘って先端から該登攀助材(11)と平行に張り出した天板部(22)とからなる規制板(23)を備えている請求項１〜１０のいずれか一つの項に記載の緑化パネル(2)。
【請求項１２】
該登攀助材(11)は、上縁(11a)及び下縁(11b)に沿って該両規制板(23)に架設された化粧板(24)を備えている請求項１１に記載の緑化パネル(2)。
【請求項１３】
矩形の登攀助材(31)の表面に菱形金網(32)を配設するとともに、該登攀助材(31)の裏面に押さえ用部材(33)を垂下させ、該登攀助材(31)を貫通する複数の緊結用部材(34)で該菱形金網(32)と押さえ用部材(33)を該登攀助材(31)越しに結びつけたことを特徴とする緑化パネル(3)。
【請求項１４】
該菱形金網(32)は、厚み(t)が１０〜８０ｍｍのものである請求項１３に記載の緑化パネル(3)。
【発明の詳細な説明】
【技術分野】
【０００１】
本発明は、のり面や建造物壁面を緑化するために使用される緑化パネルに関するものである。
【背景技術】
【０００２】
のり面や建造物壁面を緑化するための手段として、特開平１１−８９４２０号公報に開示された緑化器がある。この緑化器は、網状保護材に、吸着型蔓性植物の登攀間隔を保って留金具により多孔質の登攀助材を添設したものであり、緑化対象であるのり面、壁面等の起立面に登攀助材を対面させ、網状保護材の外面から留め具を起立面に差し込み、起立面に留めて使用する。そして、起立面に設置後、吸着型蔓性植物を登攀間隔の下方に植栽すれば、その吸着型蔓性植物は、生長するに従い付着根が所々に発生して登攀助材に侵入し、その組織の一部と係合し、自身を保定しながら登攀助材に沿って網状保護材との間の登攀間隔を登攀することになる。しかも、蔓性植物の登攀助材からの脱落も網状保護材によって防ぐことができるため、起立面全面を下から万遍なく緑化することができる。
【特許文献１】特開平１１−８９４２０号公報
【発明の開示】
【発明が解決しようとする課題】
【０００３】
しかしながら、上記従来の緑化器は、網状保護材に登攀助材を添設するために、止め具で固定すると同時にスペーサーや留金具を用いて登攀間隔を設ける必要があり、製造や取り付けに手間やコストがかかるという問題があった。
【０００４】
また、上記従来の緑化器は、一体ものとしての使用が想定されているため、建築デザインに十分適用できない場合があった。
【０００５】
更に、建築デザインに対応すべく壁面の一部のみに上記従来の緑化器を設置する場合、蔓性植物が登攀助材から外れて緑化器の設置されていない壁面に直接付着するおそれがあった。しかしながら、緑化対象が建物の壁面である場合、蔓性植物が壁面に直接付着すると、付着根が壁面の防水性を低下させたり、維持管理に支障をもたらしたりするおそれがあり、好ましくない。そのため、この点からも建築デザインに十分適用できない場合があった。
【０００６】
そこで、本発明の第一の目的は、網状の部材に登攀助材を添設する構造が簡単で、その製造や取り付けに手間やコストがかからない緑化パネルを提供することにある。
また、本発明の第二の目的は、様々な建築デザインに対する適用性に優れた緑化パネルを提供することにある。
【課題を解決するための手段】
【０００７】
本発明にかかる第一の緑化パネルは、登攀助材の表面に、複数の波形線材が、各凹部において該登攀助材に接する状態で並設されかつ各凸部において複数の直状線材が交差するように架設されて、格子が形成されていることを特徴とする。
【０００８】
該登攀助材は、緑化対象面を区分けした際に現れる小区域を覆う大きさとなっていてもよい。
【０００９】
該格子の最上縁側及び最下縁側で該波形線材は、該登攀助材の上縁及び下縁に沿って配置されていてもよい。
【００１０】
該直状線材は、使用される状態において鉛直方向に配置されてもよい。
【００１１】
該格子の最上縁側及び最下縁側で該直状線材は、該登攀助材の上縁及び下縁に沿って配置されていてもよい。
【００１２】
本発明にかかる第二の緑化パネルは、登攀助材の表面に、複数の波形線材が、各凹部において該登攀助材に接する状態でかつ各凸部において相互に交差するように並設されて、格子が形成されていることを特徴とする。
【００１３】
第二の緑化パネルにおいて、該登攀助材は、緑化対象面を区分けした際に現れる小区域を覆う大きさとなっていてもよい。
【００１４】
第二の緑化パネルにおいて、該格子の最上縁側及び最下縁側で該波形線材は、該登攀助材の上縁及び下縁に沿って配置されていてもよい。
【００１５】
第一及び第二の緑化パネルにおいて、該凹部は、平坦な底部を有し、該底部がその全長にわたって該登攀助材と接触していてもよい。
【００１６】
第一及び第二の緑化パネルにおいて、該凸部の該登攀助材表面からの高さは、１０〜８０ｍｍであってもよい。
【００１７】
第一及び第二の緑化パネルにおいて、該登攀助材は、矩形で、該登攀助材の両側縁に沿って該凸部より高く立設された側板部と、該側板部の全長に亘って先端から該矩形登攀助材と平行に張り出した天板部とからなる規制板を備えていてもよい。
【００１８】
該規制板を備える場合、該登攀助材は、上縁及び下縁に沿って該両規制板に架設された化粧板を備えていてもよい。
【００１９】
本発明にかかる第三の緑化パネルは、矩形の登攀助材の表面に菱形金網を配設するとともに、該登攀助材の裏面に押さえ用部材を垂下させ、該登攀助材を貫通する複数の緊結用部材で該菱形金網と押さえ用部材を該登攀助材越しに結びつけたことを特徴とする。なお、菱形金網とはＪＩＳ規格で定められたものである。また、緊結用部材とは、例えば可撓性を有する線材や帯材等で、菱形金網を構成する線材と押さえ用部材の外周に巻き付けることのできるものである。
【００２０】
該菱形金網は、厚みが１０〜８０ｍｍのものであってもよい。
【発明の効果】
【００２１】
本発明にかかる第一の緑化パネルでは、登攀助材の表面に設けられた格子が波形線材と直状線材とで形成され、波形線材の凹部が登攀助材に接する状態で並設されているので、凹部をコ字状の綴じ針等で留めることにより、登攀助材と格子を容易に固定できる。一方、登攀助材に固定された波形線材の凸部は登攀間隔を形成する。従って、スペーサーや留金具を用いることなく登攀間隔を設けながら格子を登攀助材に容易に固定することができ、製造や取り付けに手間やコストがかからないものとなる。
【００２２】
また、本発明にかかる第二の緑化パネルでも、登攀助材の表面に設けられた格子を形成する波形線材の凹部が登攀助材に接する状態で並設されているので、凹部をコ字状の綴じ針等で留めることにより、登攀助材と格子を容易に固定できる。更に、波形線材の凸部が登攀間隔を形成する点も同様である。従って、第一の緑化パネルと同様、スペーサーや留金具を用いることなく登攀間隔を設けながら格子を登攀助材に容易に固定することができ、製造や取り付けに手間やコストがかからないものとなる。更に、登攀助材と格子の接する部分が増えるため、登攀助材がヤシ殻などの軟質な素材で形成されている場合には、格子を登攀助材の支持用部材として機能させることにより、登攀助材を起立させることができる。
【００２３】
登攀助材が、緑化対象面を区分けした際に現れる小区域を覆う大きさのものであれば、登攀助材全体の大きさや輪郭を緑化対象面と同一に成形することなく、所定の同一寸法のものを並べて取り付けるだけで緑化対象面を覆うことができる。従って、緑化対象面の形状が複雑な場合にも採用でき、様々な建築デザインに適用することができる。
【００２４】
第一の緑化パネルにおいては格子の最上縁側及び最下縁側の波形線材又は直状線材を、第二の緑化パネルにおいては格子の最上縁側及び最下縁側の波形線材を、登攀助材の上縁及び下縁に沿って配置すれば、上下に隣接する緑化パネル同士をこれら線材を結び着けることにより連結できる。そのため、材質の問題等で緑化パネルを直接取り付けることができない緑化対象面上の位置において、隣接する緑化パネルを利用し相互に固定できる。
【００２５】
第一の緑化パネルの直状線材が、使用される状態において鉛直方向に配置されれば、登攀間隔が上下方向に途切れることなく一連となり、巻き蔓性の樹種も利用することができる。そのため、吸着型蔓性植物と巻き蔓型蔓性植物を併用した建築デザインにも適用することが可能となる。
【００２６】
波形線材の凹部が、平坦な底部を有し、その底部がその全長にわたって登攀助材と接触していれば、緑化パネルを折り曲げる必要がある場合に、その凹部で折り曲げて、自在に成形することができ、様々な建築デザインに対する適用性を更に高めることができる。
【００２７】
凸部の登攀助材表面からの高さが、１０〜８０ｍｍであれば、特に好適な登攀間隔を形成することができる。
【００２８】
登攀助材が矩形で規制板を備えたものであれば、緑化対象面の一部のみを覆った場合でも、蔓性植物が登攀助材から外れて緑化対象面に直接付着することがない。蔓性植物の蔓は、障害物に遭遇するとその障害物に沿って生長するという性質を有するため、登攀助材から外れようとした場合には規制板に沿って伸びるからである。従って、緑化対象面の一部のみの緑化を望む場合等にも採用でき、様々な建築デザインに対する適用性を更に高めることができる。
【００２９】
登攀助材が、上縁及び下縁に沿って前記両規制板に架設された化粧板を備えたものであれば、規制板と化粧板で構成されるフレームで縁取られた外観とすることができる。しかも、上縁及び下縁の化粧板は両規制板に架設されており、登攀助材に対する間隔を有しているため、蔓性植物の上方向への生長を妨げることがない。従って、蔓性植物の生長を妨げることなく、フレームを設けることが必要となる建築デザインに適用することができる。
【００３０】
本発明にかかる第三の緑化パネルでは、登攀助材の表面に配置された菱形金網を、登攀助材の裏面に垂下する押さえ用部材に緊結用部材で登攀助材越しに結びつけるのみで、登攀助材に容易に固定できる。一方、菱形金網の隙間は登攀間隔を形成する。従って、スペーサーや留金具を用いることなく登攀間隔を設けながら格子を登攀助材に容易に固定することができ、製造や取り付けに手間やコストがかからないものとなる。特に、菱形金網は水平に設けた支持部材から吊り下げるのみで設置できるため、登攀助材を直接固定できない軟弱な面を緑化する場合に有効である。また、菱形金網を構成する螺状線材を介して複数の菱形金網を上下に連結するのみで、緑化対象面に応じて簡単に大きさを調整できる。
【００３１】
菱形金網の厚みが１０〜８０ｍｍであれば、特に好適な登攀間隔を形成することができる。
【発明を実施するための最良の形態】
【００３２】
図１〜３に、本発明にかかる第一の緑化パネルの具体例を示す。図１（ａ）は同緑化パネルの斜視図、図１（ｂ）は下縁側から見た正面図である。図２は緑化対象面に取り付けられた状態を示す斜視図である。図３は成形された同緑化パネルが緑化対象面を構成する柱に取り付けられた状態を示す斜視図である。
【００３３】
緑化パネル１は、登攀助材１１の表面に、複数の波形線材１３及び直状線材１４で形成した格子１２を備えている。
波形線材１３は、各凹部１５において登攀助材１１に接する状態で並設されかつ各凸部１６において複数の直状線材１４が交差するように架設されている。また、登攀助材１１は、ヤシ殻で形成されている。
【００３４】
この緑化パネル１では、登攀助材１１の表面に設けられた格子１２が波形線材１３と直状線材１４とで形成され、波形線材１３のその凹部１５が登攀助材１１に接する状態で並設されているので、凹部１５をコ字状の綴じ針等で留めることにより、登攀助材１１と格子１２を容易に固定できる。一方、登攀助材１１に固定された波形線材１３の凸部１５は登攀間隔を形成する。従って、スペーサーや留金具を用いることなく登攀間隔を設けながら格子１２を登攀助材１１に容易に固定することができ、製造や取り付けに手間やコストがかからないものとなる。
【００３５】
登攀助材１１は、緑化対象面４を区分けした際に現れる小区域を覆う大きさとなっている。
こうすると、登攀助材１１全体の大きさや輪郭を緑化対象面４と同一に成形することなく、所定の同一寸法のものを並べて取り付けるだけで緑化対象面４を覆うことができる。従って、緑化対象面４の形状が複雑な場合にも採用でき、様々な建築デザインに適用することができる。
なお、登攀助材１１は、製造や取り付けの便宜を考慮し約１メートル四方の正方形となっているが、製造や施工の事情等に応じその他の形状、寸法としてもよい。
【００３６】
格子１２の最上縁側１２ａの波形線材１３ａ及び最下縁側１２ｂの波形線材１３ｂは、登攀助材１１の上縁１１ａ及び下縁１１ｂに沿って配置されている。
こうすると、上下に隣接する緑化パネル１同士をこれら波形線材１３ａ、１３ｂを結び着けることにより連結できる。そのため、材質の問題等で緑化パネル１を直接取り付けることができない緑化対象面４上の位置において、隣接する緑化パネル１を利用し相互に固定できる。
なお、緑化パネル１は、緑化対象面４における適当な位置で、登攀助材１１を貫き緑化対象面４に突き刺したタッピングビスで固定されている。ただし、緑化パネル１に比べて小さいため、図２においてその図示は省略されている。
【００３７】
直状線材１４は、図２に示す使用状態において、鉛直方向に配置されている。
こうすると、登攀間隔が上下方向に途切れることなく一連となり、巻き蔓性の樹種も利用することができる。そのため、吸着型蔓性植物と巻き蔓型蔓性植物を併用した建築デザインにも適用することが可能となる。
【００３８】
なお、使用状況に応じて、直状線材１４を水平方向に配置してもよい。その場合、格子１２の最上縁側１２ａ及び最下縁側１２ｂの直状線材１４を、登攀助材１１の上縁１１ａ及び下縁１１ｂに沿って配置すれば、これら直状線材１４同士を結び着けることにより上下に隣接する緑化パネル１を連結できるようになる。
【００３９】
波形線材１３の凹部１５は、平坦な底部１５ａを有している。そして、底部１５ａがその全長にわたって登攀助材１１と接触している。
こうすると、緑化パネル１を折り曲げる必要がある場合に、その凹部、例えば図１の破線部で折り曲げて、図３に示すような柱５に適合する形状に自在に成形することができる。そのため、様々な建築デザインに対する適用性が向上する。
【００４０】
凸部１６の登攀助材１１表面からの高さは、１０〜８０ｍｍとなっている。
こうすると、特に好適な登攀間隔を形成することができる。
【００４１】
図４に、本発明にかかる第一の緑化パネルの他の具体例を示す。図４は同緑化パネルが緑化対象面に取り付けられた状態を示す斜視図である。なお、図４において、図１〜３と実質的に同じ部分には同符号を付し、その説明は省略する。
【００４２】
緑化パネル２は、緑化パネル１に規制板２３を備えたものである。
規制板２３は、登攀助材１１の両側縁に沿って凸部１６より高く立設された側板部２１と、側板部２１の全長に亘って先端から登攀助材１１と平行に張り出した天板部２２とからなっている。
【００４３】
この緑化パネル２によれば、蔓性植物の蔓は、障害物に遭遇するとその障害物に沿って生長するという性質を有するため、登攀助材から外れようとした場合には規制板に沿って伸びることになる。そのため、緑化対象面の一部のみを覆った場合でも、蔓性植物が登攀助材から外れて緑化対象面に直接付着することがなく、緑化対象面の一部のみの緑化させる建築デザインに対する適用性を更に高めることができる。
【００４４】
登攀助材１１は、上縁及び下縁に沿って、両規制板２３、２３に架設された化粧板２４を備えている。
こうすると、規制板２３と化粧板２４で構成されるフレームで縁取られた外観とすることができる。しかも、上縁及び下縁の化粧板２４は両規制板２３、２３に架設されており、登攀助材１１に対する間隔を有しているため、蔓性植物の上方向への生長を妨げることがない。従って、蔓性植物の生長を妨げることなく、フレームを設けることが必要となる建築デザインに適用することができる。
【００４５】
図５は、本発明にかかる第二の緑化パネルの具体例を示す斜視図である。
緑化パネル１０は、緑化パネル１における直状線材１４を波形線材１３に代えて、格子１２を波形線材１３のみで形成したものである。その他の点においては緑化パネル１と同様であるため、それら同様の部分には同符号を付しその説明を省略する。
この緑化パネル１０によれば、緑化パネル１と同様、スペーサーや留金具を用いることなく登攀間隔を設けながら格子１２を登攀助材１１に容易に固定することができ、製造や取り付けに手間やコストがかからないものとなる。更に、登攀助材１１と格子１２の接する部分が増えるため、登攀助材１１がヤシ殻などの軟質な素材で形成されている場合には、格子１２を登攀助材１１の支持用部材として機能させることにより、登攀助材１１を起立させることができる。
【００４６】
図６〜１２に、本発明にかかる第三の緑化パネルの具体例を示す。図６は同緑化パネルの正面図、図７は背面図、図８は部分側断面図である。図９は菱形金網を押さえ用部材に結びつける部分を拡大して示し、（ａ）は正面図、（ｂ）は平断面図である。図１０は、同緑化パネルの上側の取り付け状態を示す部分正面図である。図１１は同緑化パネルの下側固定部分を拡大して示す部分正面図である。図１２は同緑化パネルの複数を連結した場合において折り畳んだ状態を示す側面図である。
【００４７】
緑化パネル３は、矩形の登攀助材３１の表面に菱形金網３２を配設したものである。登攀助材３１の裏面には押さえ用部材３３が垂下しており、菱形金網３２は、登攀助材３１を貫通する複数の緊結用部材３４で押さえ用部材３３に登攀助材３１越しに結びつけられている。なお、緊結用部材３４は、緑化パネル３の全体的なサイズから見れば小さいため、図６、７、８、１０及び１１においてその図示は省略されている。
【００４８】
この緑化パネル３では、登攀助材３１の表面に配置された菱形金網３２を、登攀助材３１の裏面に垂下する押さえ用部材３３に緊結用部材３４で登攀助材３１越しに結びつけるのみで、登攀助材３１に容易に固定できる。一方、菱形金網３２の隙間は登攀間隔を形成する。従って、スペーサーや留金具を用いることなく登攀間隔を設けながら、格子となる菱形金網３２を登攀助材３１に容易に固定することができ、製造や取り付けに手間やコストがかからないものとなる。特に、図１０に示すように、菱形金網３２は水平に設けた支持部材３５から吊り下げるのみで設置できるため、登攀助材３１を直接固定できない軟弱な面を緑化する場合に有効である。また、菱形金網３２を構成する螺状線材を介して複数の菱形金網３２を上下に連結するのみで、緑化対象面に応じて簡単に大きさを調整できる。
【００４９】
緑化パネル３を複数連結して使用する際、施工現場で連結させることも可能ではあるが、施工性を考慮した場合、工場等の設備の整った施設内で予め連結しておくことが好ましい。その場合、一枚当たりの面積が大きくなり運搬しずらくなるという問題が発生するが、その問題については連結部分で折り返し小さく畳むことで対処すればよい。すなわち、菱形菱形金網３２の連結部分３２ａで折り返して二つ折り、三つ折り等にして図１２（ａ）や（ｂ）に示す状態とすれば、一枚当たりの面積を連結する前の面積にまで小さくできるので、支障なく運搬することができる。
【００５０】
菱形金網３２の厚みは、１０〜８０ｍｍとなっている。
こうすると、特に好適な登攀間隔を形成することができる。
【００５１】
菱形金網３２の下縁は、必要に応じて地面に固定してもよい。その固定には、例えば図１１に示すアンカー３６を好適に使用できる。
【００５２】
この緑化パネル３の長手方向（図６の水平方向）に別の緑化パネル３を隣接して配置すると、菱形金網３２の登攀助材３１から突き出た部分が隣接する緑化パネル３の菱形金網３２に重なることになる。そのためこの菱形金網３２の重なった部分を結束材で結びつけることにより、長手方向に隣接するパネル同士を固定することができる。
【図面の簡単な説明】
【００５３】
【図１】本発明にかかる第一の緑化パネルの具体例を示し、（ａ）は斜視図、（ｂ）は下縁側から見た正面図である。
【図２】同緑化パネルが緑化対象面に取り付けられた状態を示す斜視図である。
【図３】成形された同緑化パネルが緑化対象面を構成する柱に取り付けられた状態を示す斜視図である。
【図４】本発明にかかる第一の緑化パネルの他の具体例を示し、同緑化パネルが緑化対象面に取り付けられた状態を示す斜視図である。
【図５】本発明にかかる第二の緑化パネルの具体例を示す斜視図である。
【図６】本発明にかかる第三の緑化パネルの具体例を示す正面図である。
【図７】同緑化パネルの背面図である。
【図８】同緑化パネルの部分側断面図である。
【図９】菱形金網を押さえ用部材に結びつける部分を拡大して示し、（ａ）は正面図、（ｂ）は平断面図である。
【図１０】同緑化パネルの上側の取り付け状態を示す部分正面図である。
【図１１】同緑化パネルの下側固定部分を拡大して示す部分正面図である。
【図１２】同緑化パネルの複数を連結した場合において折り畳んだ状態を示す側面図である。
【符号の説明】
【００５４】
１、２、３、１０  緑化パネル
４      緑化対象面
５      柱
１１、３１  登攀助材
１１ａ  上縁
１１ｂ  下縁
１２    格子
１２ａ  最上縁側
１２ｂ  最下縁側
１３    波形線材
１４    直状線材
１５    凹部
１５ａ  底部
１６    凸部
２１    側板部
２２    天板部
２３    規制板
２４    化粧板
３２    菱形金網
３３    押さえ用部材
３４    緊結用部材
３５    支持部材
３６    アンカー
【図１】
2006075009.tif 000003
【図２】
2006075009.tif 000004
【図３】
2006075009.tif 000005
【図４】
2006075009.tif 000006
【図５】
2006075009.tif 000007
【図６】
2006075009.tif 000008
【図７】
2006075009.tif 000009
【図８】
2006075009.tif 000010
【図９】
2006075009.tif 000011
【図１０】
2006075009.tif 000012
【図１１】
2006075009.tif 000013
【図１２】
2006075009.tif 000014